(57)【要約】  表示パネルと、この表示パネルの背面側に配置されるとともに前記表示パネルに情報を表示する駆動回路部とを備えた表示ユニットと、表示ユニットの表示パネルの表示面側に配置されこの表示パネルの外形寸法より大きい前面パネルとを備え、前面パネル（１）は、四隅のコーナー部にアールを形成した形状で、前面パネル（１）の外周端面を含め、表示ユニットの四辺の外周端面全体を覆うように、屈曲性を有する長尺の装飾部材（２）を巻き付けるように配置した情報表示装置である。装飾部材（２）は、前面パネル（１）の外周端面に密着するように表示ユニットの外周端面に接着する接着層（２１）を備えた。この構成で、ガラスの前面パネルを保護するために重量の増加やコストアップを生じることなく、安全かつデザイン性と強度を確保した情報表示装置が提供できる。
2014010139.tif 000002
【特許請求の範囲】
【請求項１】
表示パネルと、前記表示パネルに情報が表示される方向に対し反対側の背面側に配置され、前記表示パネルに情報を表示するための駆動回路部とを備えた表示ユニットと、
前記表示ユニットの駆動回路部側を覆うように配置したバックカバーと、
前記表示ユニットの前記表示パネルに前記情報を表示する表示面側に配置され、前記表示パネルの外形寸法より大きい前面パネルとを備え、
前記前面パネルは、四隅のコーナー部にアールを形成した形状であり、
前記前面パネルの外周端面を含めて前記表示ユニットの四辺の外周端面全体を覆うように屈曲性を有する長尺の装飾部材を巻き付けるように配置し、
前記装飾部材は、前記前面パネルの外周端面に密着するように、前記表示ユニットの外周端面に接着する接着層を備えた情報表示装置。
【請求項２】
前記装飾部材は、前記前面パネルの面に対して垂直方向の断面形状において、前記接着層を設けた前記表示パネル側の寸法が最も大きくなるように構成した請求項１記載の情報表示装置。
【請求項３】
前記装飾部材の前記接着層は、発泡性の樹脂材料で形成し、前記装飾部材が前記前面パネルの外周端面に密着するように、前記表示ユニットの前記外周端面に前記接着層を圧接して接着した請求項１記載の情報表示装置。
【請求項４】
前記装飾部材は、前記樹脂材料に金属粉を配合して成形した請求項３記載の情報表示装置。
【請求項５】
前記装飾部材は、前記樹脂材料の表面に金属層を形成したものであるた請求項３記載の情報表示装置。
【請求項６】
前記装飾部材は、ガラス転移点以上の温度帯域で形状自由度を有し、常温で硬化する樹脂材料により構成した請求項１記載の情報表示装置。
【請求項７】
前記前面パネルは、接触式のタッチパネル機能を有する請求項１記載の情報表示装置。
【発明の詳細な説明】
【技術分野】
【０００１】
本技術は、プラズマテレビや液晶テレビなどに代表されるＡＶ機器、あるいはタッチパネルなどの入力手段を有するタブレット型情報機器端末などの情報表示装置に関する。
【背景技術】
【０００２】
昨今のプラズマテレビや液晶テレビは、ベゼルの幅を狭くするいわゆる狭額縁のデザインが主流となっている。例えば、ガラス製の前面パネルを表示パネルの前面に配置することで、額縁状の筐体が正面から見えないガラスフルフラットデザインのテレビが普及している。また、タッチパネルなどの入力手段を有するタブレット型情報機器端末では、感圧式あるいは静電容量方式のタッチパネル機能を有する前面ガラスが、表示パネルの前面に配置されている情報表示装置が大半を占めている。【０００３】
このようなガラス製の前面パネルは、特に端面に衝撃が加わると容易に割れるため、金属製の枠体でガラスの端面を保護する構造となっている。この枠体は、アルミニウム製の押出材を４辺組み合わせた構造、あるいは前面パネルよりひと回り大きいアルミニウムの板材の中央部を打ち抜いてプレス成形した構造となっている。また、画面の小さなタブレット型情報機器端末では、アルミニウムをダイカスト成形あるいは切削加工で形成した部材を筐体とし、この筐体にガラスの前面パネルを固着する構成となっている。【０００４】
しかし、アルミニウム製の押出材を４辺組み合わせた構造では、押出材の継目がコーナー部に見えてデザイン性を損なうとともに、重量の増加やコストアップを生じるという課題を有している。また、アルミニウムの板材の中央部を打ち抜いてプレス成形した構造では、材料歩留りが悪く、更にコストアップになるという課題を有していた。【０００５】
一方、特開２０００−２９５５４４号公報（特許文献１）では、表示装置の周囲にクッション材を追加し、衝撃吸収を図った構造が開示されている。
【先行技術文献】
【特許文献】
【０００６】
【特許文献１】特開２０００−２９５５４４号公報
【発明の概要】
【発明が解決しようとする課題】
【０００７】
本技術は、このような現状に鑑みてなされたものであり、ガラスの前面パネルを保護するために、重量の増加やコストアップを生じることなく、安全かつデザイン性と強度を確保した情報表示装置を提供することを目的とする。
【課題を解決するための手段】
【０００８】
本技術は、表示パネルと、この表示パネルに情報が表示される方向に対し反対側の背面側に配置され、表示パネルに情報を表示するための駆動回路部とを備えた表示ユニットと、この表示ユニットの駆動回路部側を覆うように配置したバックカバーと、この表示ユニットの表示パネルにこの情報を表示する表示面側に配置され、表示パネルの外形寸法より大きい前面パネルとを備え、前面パネルは、四隅のコーナー部にアールを形成した形状であり、前面パネルの外周端面を含めて表示ユニットの四辺の外周端面全体を覆うように屈曲性を有する長尺の装飾部材を巻き付けるように配置し、装飾部材は、前面パネルの外周端面に密着するように表示ユニットの外周端面に接着する接着層を備えた情報表示装置である。
【発明の効果】
【０００９】
本技術によれば、ガラスの前面パネルを保護するために重量の増加やコストアップを生じることなく、安全性、デザイン性および強度を確保した情報表示装置を提供することができる。
【図面の簡単な説明】
【００１０】
【図１】図１は、一実施の形態の液晶テレビの外観を示す斜視図である。
【図２】図２は、図１のＡ−Ａ線で切断した断面図である。
【図３】図３は、図１に示す液晶テレビの上側コーナー部の外観を示す平面図である。
【図４】図４は、他の実施の形態において、Ａ−Ａ線で切断した断面図である。
【図５】図５は、他の実施の形態による情報表示装置の例示として、タブレット型情報機器端末の外観を示す斜視図である。
【発明を実施するための形態】
【００１１】
以下、本技術による情報表示装置の開示の一例として、液晶テレビに供される液晶表示装置を挙げ、図面を用いて説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本技術を十分に理解するために添付図面および以下の説明を提供するのであって、これらによって特許請求の範囲に記載の主題を限定することを意図するものではない。
【００１３】
図１は本技術の一実施の形態による情報表示装置の例示として、液晶テレビの外観を示す斜視図である。図２は、図１のＡ−Ａ線で切断した断面図である。図３は、図１に示す液晶テレビの上側コーナー部の外観を示す平面図である。
【００１４】
図１に示すように、本実施の形態による液晶テレビは、後述するように、前面パネル１の外周端面全体を覆うように、屈曲性を有する長尺の装飾部材２が巻き付けるように配置されている。
【００１５】
図２に示すように、表示ユニットは、表示パネルである液晶パネル部３と、この液晶パネル部３に情報を表示するための駆動回路部４とを備えている。なお、駆動回路部４は、液晶パネル部３に対して前面パネル１に対して反対の背面側に配置されている。液晶パネル部３は、液晶パネル３１と、偏光板３２と、バックライトを構成するＬＥＤ３３、導光板３４、反射板３５、拡散板３６と、これらを収容する金属製の上フレーム３７と、同じく金属製の下フレーム３８などから構成されている。駆動回路部４は、ＬＥＤ３３や液晶パネル３１の液晶を駆動する電子部品４ａと、この電子部品４ａを実装するプリント配線板４ｂで構成され、液晶パネル部３の下フレーム３８にビスなどにより取り付けられている。
【００１６】
また、バックカバー５は、この表示ユニットの駆動回路部４側を覆うように配置され、液晶パネル部３の下フレーム３８に取り付けられている。
【００１７】
ガラス製の前面パネル１は、表示ユニットの液晶パネル部３の表示面側に配置され、液晶パネル３１の外形寸法より大きい四角形状である。さらに、前面パネル１は、図３に示すように、四隅のコーナー部に装飾部材２でアール１ａを形成した形状である。なお、図３においては、図１に示す液晶テレビの上側コーナー部の外観のみを示している。
【００１８】
この装飾部材２は、前面パネル１の外周端面、および表示ユニットの四辺の外周端面全体を覆うように配置される。また、装飾部材２は、前面パネル１の外周端面に密着するように、液晶パネル部３の上フレーム３７の外周端面に接着材２１で接着した構成である。そして、装飾部材２は、前面パネル１の面に対して垂直方向の断面形状において、接着層２１を設けた液晶パネル３１側（以下、裏面側と称す）の寸法が最も大きくなる、すなわち液晶パネル３１の中心から離れるほど液晶パネル部３の厚み方向が小さくなるような湾曲した形状としている。このような形状とすることにより、前面パネル１の４隅で装飾部材２を屈曲させた場合に、装飾部材２の表面にシワが生じにくくなる。なお、装飾部材２の断面形状は、本実施の形態では湾曲面としたが、三角形や台形などであっても良い。
【００１９】
さらに、装飾部材２の裏面の接着層２１は、厚みを有するようにエポキシ系もしくはアクリル系の樹脂を発泡させて発泡性の樹脂材料で形成した。また、接着層２１は、装飾部材２が前面パネル１の外周端面に密着するように、表示ユニット（すなわち、前面パネル１、液晶表示部３およびバックカバー５）の外周端面に圧接して接着している。表示ユニットの４隅の角部は、この接着層２１が圧縮され、前面パネル１の４隅のアール１ａに沿って装飾部材２が屈曲して接着される。したがって、装飾部材２は、前面パネル１の外周端面に沿って、ガラスの端面を覆うように前面パネル１の全周に配設されることになる。
【００２０】
また、装飾部材２は、ガラス転移点以上の温度帯域で形状自由度を有し、装飾部材２の中央部に配置した基材２２は、常温で硬化する樹脂材料で形成した。樹脂材料は、装飾部材２をガラス転移点以上に加熱して柔らかくした後、前面パネル１の４隅のアール１ａに沿うように屈曲させることができる。なお、基材２２は、常温になった場合に表示ユニットに不意に加えられる衝撃を吸収する程度の硬さになり、衝撃吸収力を有することができる。
【００２１】
さらに、装飾部材２の基材２２は、ウレタン系もしくはアクリル系の樹脂材料をベース材料とした。また、基材２２の表面は、導電処理を施したフィルムを貼り合せた。すなわち、基材２２は、このベース材料を長尺形状に押出成形する際に、ポリエステル系もしくはフッ素系の樹脂フィルム上に、銀やアルミニウムなどの導電性物質を蒸着やスパッタリング工法で薄膜状にコーティングした金属層を有するフィルム２３を、接着剤で貼り合わせる共押出成形工法で形成した。したがって、装飾部材２の表面は、金属光沢を備えているため、液晶テレビに品格を与える意匠性を実現させることができる。
【００２２】
以上のように、本実施の形態の液晶テレビは、表示ユニット（前面パネル１、液晶表示部３およびバックカバー５）の外周端面を、装飾部材２で圧接した構成を備える。また、装飾部材２は、表示ユニットのコーナー部で枠体の継目が生じることがない。このため、液晶テレビは、剛性が高い金属製の枠体でガラスの端面を保護する従来の構造と異なり、例えば液晶テレビを持ち上げる際や、人がぶつかった際でも安全である。また、装飾部材２は、発泡性の樹脂材料で構成されているため、例えば異物に当接した際などに衝撃吸収性が高く、しかも軽量である。したがって、本実施の形態の液晶テレビは、ガラスの割れ防止、意匠性、安全性、軽量化を安価に実現することが可能となる。
【００２３】
図４は、他の実施の形態における液晶テレビの構成を示す。なお、図４は、図１のＡ−Ａ線で切断した断面図である。また、本実施の形態の液晶テレビは、上述の実施の形態の液晶テレビと同じ機能については同一符号をつけている。
【００２４】
本実施の形態の装飾部材２は、上述した樹脂材料に金属粉を配合して成形した複合材料である。具体的には、ウレタン系もしくはアクリル系の樹脂材料に、銀やアルミニウムのフィラーなどメタリック顔料を配合した基材を、例えば押出成形して成形した。押出成形する際に、装飾部材２は、メタリック顔料が成形物の表面に現れるため、金属調の外観を有する。このため、本実施の形態の装飾部材２は、金属調の外観を有するフィルムを表面にコーティング工程を抑制し、金属調の外観を備えることができる。なお、装飾部材２に適用した樹脂材料は、粘弾性を備えているため、表示ユニットに耐衝撃性を付与することができ、安全性および軽量化を安価に実現できる。
【００２５】
なお、上述の実施の形態では液晶テレビで説明したが、これは一例である。本技術は、例えばポータブルＤＶＤプレーヤやカメラの表示機器部分、表示機器部分だけではなくポータブル光ディスクドライブや光ディスクレコーダなどの据え置き型電子機器の筐体にも適用することができる。
【００２６】
図５は、本技術の他の実施の形態による情報表示装置の例示として、タブレット型情報機器端末の外観を示す斜視図である。なお、本実施の形態においては、タブレット型情報機器端末の前面パネル１は、接触式のタッチパネル機能を有するものである。また、表示ユニットの内部構造は、上記実施の形態で説明した構造と同様な構成ある。
【００２７】
本実施の形態のタブレット型情報機器端末は、使用者が手で把持した状態で専ら操作する。このため、タブレット型情報機器端末は、上述の実施の形態で説明したように、装置の軽量化と安全性との要請に対応することができる。また、装飾部材２は、タブレット型情報機器端末に好適な意匠性を安価に付与することができる。
【００２８】
なお、本実施の形態ではタブレット型情報機器端末で説明したが、これは一例である。本技術は、例えば携帯電話などにも適用することができる。
【００２９】
以上のように、本開示における技術の例示として、実施の形態を説明した。そのために、添付図面および詳細な説明を提供した。
【００３０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３１】
また、上述の実施の形態は、本開示における技術を例示するためのものであるから、特許請求の範囲またはその均等の範囲において種々の変更、置き換え、付加、省略などを行うことができる。
【産業上の利用可能性】
【００３２】
以上のように本技術にかかる情報表示装置は、例えば液晶テレビやプラズマテレビ、タブレット型情報機器端末、ラップトップ型情報機器端末、携帯電話、ポータブルＤＶＤプレーヤ、カメラ、光ディスクドライブ、光ディスクレコーダなどの筐体構造の性能向上に適用できる。
【符号の説明】
【００３３】
１  前面パネル
２  装飾部材
３  液晶パネル部
４  駆動回路部
５  バックカバー
２１  接着層
２２  基材
２３  フィルム
【図１】
2014010139.tif 000003
【図２】
2014010139.tif 000004
【図３】
2014010139.tif 000005
【図４】
2014010139.tif 000006
【図５】
2014010139.tif 000007
【手続補正書】
【提出日】平成25年6月5日(2013.6.5)
【手続補正１】
【補正対象書類名】明細書
【補正対象項目名】全文
【補正方法】変更
【補正の内容】
【発明の詳細な説明】
【技術分野】
【０００１】
本技術は、プラズマテレビや液晶テレビなどに代表されるＡＶ機器、あるいはタッチパネルなどの入力手段を有するタブレット型情報機器端末などの情報表示装置に関する。
【背景技術】
【０００２】
昨今のプラズマテレビや液晶テレビは、ベゼルの幅を狭くするいわゆる狭額縁のデザインが主流となっている。例えば、ガラス製の前面パネルを表示パネルの前面に配置することで、額縁状の筐体が正面から見えないガラスフルフラットデザインのテレビが普及している。また、タッチパネルなどの入力手段を有するタブレット型情報機器端末では、感圧式あるいは静電容量方式のタッチパネル機能を有する前面ガラスが、表示パネルの前面に配置されている情報表示装置が大半を占めている。
【０００３】
このようなガラス製の前面パネルは、特に端面に衝撃が加わると容易に割れるため、金属製の枠体でガラスの端面を保護する構造となっている。この枠体は、アルミニウム製の押出材を４辺組み合わせた構造、あるいは前面パネルよりひと回り大きいアルミニウムの板材の中央部を打ち抜いてプレス成形した構造となっている。また、画面の小さなタブレット型情報機器端末では、アルミニウムをダイカスト成形あるいは切削加工で形成した部材を筐体とし、この筐体にガラスの前面パネルを固着する構成となっている。
【０００４】
しかし、アルミニウム製の押出材を４辺組み合わせた構造では、押出材の継目がコーナー部に見えてデザイン性を損なうとともに、重量の増加やコストアップを生じるという課題を有している。また、アルミニウムの板材の中央部を打ち抜いてプレス成形した構造では、材料歩留りが悪く、更にコストアップになるという課題を有していた。
【０００５】
一方、特開２０００−２９５５４４号公報（特許文献１）では、表示装置の周囲にクッション材を追加し、衝撃吸収を図った構造が開示されている。
【先行技術文献】
【特許文献】
【０００６】
【特許文献１】特開２０００−２９５５４４号公報
【発明の概要】
【発明が解決しようとする課題】
【０００７】
本技術は、このような現状に鑑みてなされたものであり、ガラスの前面パネルを保護するために、重量の増加やコストアップを生じることなく、安全かつデザイン性と強度を確保した情報表示装置を提供することを目的とする。
【課題を解決するための手段】
【０００８】
本技術は、表示パネルと、この表示パネルに情報が表示される方向に対し反対側の背面側に配置され、表示パネルに情報を表示するための駆動回路部とを備えた表示ユニットと、この表示ユニットの駆動回路部側を覆うように配置したバックカバーと、この表示ユニットの表示パネルにこの情報を表示する表示面側に配置され、表示パネルの外形寸法より大きい前面パネルとを備え、前面パネルは、四隅のコーナー部にアールを形成した形状であり、前面パネルの外周端面を含めて表示ユニットの四辺の外周端面全体を覆うように屈曲性を有する長尺の装飾部材を巻き付けるように配置し、装飾部材は、前面パネルの外周端面に密着するように表示ユニットの外周端面に接着する接着層を備えた情報表示装置である。
【発明の効果】
【０００９】
本技術によれば、ガラスの前面パネルを保護するために重量の増加やコストアップを生じることなく、安全性、デザイン性および強度を確保した情報表示装置を提供することができる。
【図面の簡単な説明】
【００１０】
【図１】図１は、一実施の形態の液晶テレビの外観を示す斜視図である。
【図２】図２は、図１のＡ−Ａ線で切断した断面図である。
【図３】図３は、図１に示す液晶テレビの上側コーナー部の外観を示す平面図である。
【図４】図４は、他の実施の形態において、図１のＡ−Ａ線で切断した断面図である。
【図５】図５は、他の実施の形態による情報表示装置の例示として、タブレット型情報機器端末の外観を示す斜視図である。
【発明を実施するための形態】
【００１１】
以下、本技術による情報表示装置の開示の一例として、液晶テレビに供される液晶表示装置を挙げ、図面を用いて説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本技術を十分に理解するために添付図面および以下の説明を提供するのであって、これらによって特許請求の範囲に記載の主題を限定することを意図するものではない。
【００１３】
図１は本技術の一実施の形態による情報表示装置の例示として、液晶テレビの外観を示す斜視図である。図２は、図１のＡ−Ａ線で切断した断面図である。図３は、図１に示す液晶テレビの上側コーナー部の外観を示す平面図である。
【００１４】
図１に示すように、本実施の形態による液晶テレビは、後述するように、前面パネル１の外周端面全体を覆うように、屈曲性を有する長尺の装飾部材２が巻き付けるように配置されている。
【００１５】
図２に示すように、表示ユニットは、表示パネルである液晶パネル部３と、この液晶パネル部３に情報を表示するための駆動回路部４とを備えている。なお、駆動回路部４は、液晶パネル部３に対して前面パネル１において反対の背面側に配置されている。液晶パネル部３は、液晶パネル３１と、偏光板３２と、バックライトを構成するＬＥＤ３３、導光板３４、反射板３５、拡散板３６と、これらを収容する金属製の上フレーム３７と、同じく金属製の下フレーム３８などから構成されている。駆動回路部４は、ＬＥＤ３３や液晶パネル３１の液晶を駆動する電子部品４ａと、この電子部品４ａを実装するプリント配線板４ｂで構成され、液晶パネル部３の下フレーム３８にビスなどにより取り付けられている。
【００１６】
また、バックカバー５は、この表示ユニットの駆動回路部４側を覆うように配置され、液晶パネル部３の下フレーム３８に取り付けられている。
【００１７】
ガラス製の前面パネル１は、表示ユニットの液晶パネル部３の表示面側に配置され、液晶パネル３１の外形寸法より大きい四角形状である。さらに、前面パネル１は、図３に示すように、四隅のコーナー部に装飾部材２でアール１ａを形成した形状である。なお、図３においては、図１に示す液晶テレビの上側コーナー部の外観のみを示している。
【００１８】
この装飾部材２は、前面パネル１の外周端面、および表示ユニットの四辺の外周端面全体を覆うように配置される。また、装飾部材２は、前面パネル１の外周端面に密着するように、液晶パネル部３の上フレーム３７の外周端面に接着材２１で接着した構成である。そして、装飾部材２は、前面パネル１の面に対して垂直方向の断面形状において、接着層２１を設けた液晶パネル３１側（以下、裏面側と称す）の寸法が最も大きくなる。すなわち、装飾部材２は、液晶パネル３１の中心から離れるほど液晶パネル部３の厚み方向が小さくなるような湾曲した形状としている。このような形状とすることにより、前面パネル１の４隅で装飾部材２を屈曲させた場合に、装飾部材２の表面にシワが生じにくくなる。なお、装飾部材２の断面形状は、本実施の形態では湾曲面としたが、三角形や台形などであっても良い。
【００１９】
さらに、装飾部材２の裏面の接着層２１は、厚みを有するようにエポキシ系もしくはアクリル系の樹脂を発泡させて発泡性の樹脂材料で形成した。また、接着層２１は、装飾部材２が前面パネル１の外周端面に密着するように、表示ユニット（すなわち、前面パネル１、液晶表示部３およびバックカバー５）の外周端面に圧接して接着している。表示ユニットの４隅の角部は、この接着層２１が圧縮され、前面パネル１の４隅のアール１ａに沿って装飾部材２が屈曲して接着される。したがって、装飾部材２は、前面パネル１の外周端面に沿って、ガラスの端面を覆うように前面パネル１の全周に配設されることになる。
【００２０】
また、装飾部材２は、ガラス転移点以上の温度帯域で形状自由度を有し、装飾部材２の中央部に配置した基材２２は、常温で硬化する樹脂材料で形成した。樹脂材料は、装飾部材２をガラス転移点以上に加熱して柔らかくした後、前面パネル１の４隅のアール１ａに沿うように屈曲させることができる。なお、基材２２は、常温になった場合に表示ユニットに不意に加えられる衝撃を吸収する程度の硬さになり、衝撃吸収力を有することができる。
【００２１】
さらに、装飾部材２の基材２２は、ウレタン系もしくはアクリル系の樹脂材料をベース材料とした。また、基材２２の表面は、導電処理を施したフィルムを貼り合せた。すなわち、基材２２は、このベース材料を長尺形状に押出成形する際に、ポリエステル系もしくはフッ素系の樹脂フィルム上に、銀やアルミニウムなどの導電性物質を蒸着やスパッタリング工法で薄膜状にコーティングした金属層を有するフィルム２３を、接着剤で貼り合わせる共押出成形工法で形成した。したがって、装飾部材２の表面は、金属光沢を備えているため、液晶テレビに品格を与える意匠性を実現させることができる。
【００２２】
以上のように、本実施の形態の液晶テレビは、表示ユニット（前面パネル１、液晶表示部３およびバックカバー５）の外周端面を、装飾部材２で圧接した構成を備える。また、装飾部材２は、表示ユニットのコーナー部で枠体の継目が生じることがない。このため、液晶テレビは、剛性が高い金属製の枠体でガラスの端面を保護する従来の構造と異なり、例えば液晶テレビを持ち上げる際や、人がぶつかった際でも安全である。また、装飾部材２は、発泡性の樹脂材料で構成されているため、例えば異物に当接した際などに衝撃吸収性が高く、しかも軽量である。したがって、本実施の形態の液晶テレビは、ガラスの割れ防止、意匠性、安全性、軽量化を安価に実現することが可能となる。
【００２３】
図４は、他の実施の形態における液晶テレビの構成を示す。なお、図４は、図１のＡ−Ａ線で切断した断面図である。また、本実施の形態の液晶テレビは、上述の実施の形態の液晶テレビと同じ機能については同一符号をつけている。
【００２４】
本実施の形態の装飾部材２は、上述した樹脂材料に金属粉を配合して成形した複合材料である。具体的には、ウレタン系もしくはアクリル系の樹脂材料に、銀やアルミニウムのフィラーなどメタリック顔料を配合した基材を、例えば押出成形して成形した。押出成形する際に、装飾部材２は、メタリック顔料が成形物の表面に現れるため、金属調の外観を有する。このため、本実施の形態の装飾部材２は、金属調の外観を有するフィルムを表面にコーティング工程を抑制し、金属調の外観を備えることができる。なお、装飾部材２に適用した樹脂材料は、粘弾性を備えているため、表示ユニットに耐衝撃性を付与することができ、安全性および軽量化を安価に実現できる。
【００２５】
なお、上述の実施の形態では液晶テレビで説明したが、これは一例である。本技術は、例えばポータブルＤＶＤプレーヤやカメラの表示機器部分、表示機器部分だけではなくポータブル光ディスクドライブや光ディスクレコーダなどの据え置き型電子機器の筐体にも適用することができる。
【００２６】
図５は、本技術の他の実施の形態による情報表示装置の例示として、タブレット型情報機器端末の外観を示す斜視図である。なお、本実施の形態においては、タブレット型情報機器端末の前面パネル１は、接触式のタッチパネル機能を有するものである。また、表示ユニットの内部構造は、上記実施の形態で説明した構造と同様な構成ある。
【００２７】
本実施の形態のタブレット型情報機器端末は、使用者が手で把持した状態で専ら操作する。このため、タブレット型情報機器端末は、上述の実施の形態で説明したように、装置の軽量化と安全性との要請に対応することができる。また、装飾部材２は、タブレット型情報機器端末に好適な意匠性を安価に付与することができる。
【００２８】
なお、本実施の形態ではタブレット型情報機器端末で説明したが、これは一例である。本技術は、例えば携帯電話などにも適用することができる。
【００２９】
以上のように、本開示における技術の例示として、実施の形態を説明した。そのために、添付図面および詳細な説明を提供した。
【００３０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３１】
また、上述の実施の形態は、本開示における技術を例示するためのものであるから、特許請求の範囲またはその均等の範囲において種々の変更、置き換え、付加、省略などを行うことができる。
【産業上の利用可能性】
【００３２】
以上のように本技術にかかる情報表示装置は、例えば液晶テレビやプラズマテレビ、タブレット型情報機器端末、ラップトップ型情報機器端末、携帯電話、ポータブルＤＶＤプレーヤ、カメラ、光ディスクドライブ、光ディスクレコーダなどの筐体構造の性能向上に適用できる。
【符号の説明】
【００３３】
１  前面パネル
２  装飾部材
３  液晶パネル部
４  駆動回路部
５  バックカバー
２１  接着層
２２  基材
２３  フィルム
【手続補正２】
【補正対象書類名】特許請求の範囲
【補正対象項目名】全文
【補正方法】変更
【補正の内容】
【特許請求の範囲】
【請求項１】
表示パネルと、前記表示パネルに情報が表示される方向に対し反対側の背面側に配置され、前記表示パネルに情報を表示するための駆動回路部とを備えた表示ユニットと、
前記表示ユニットの駆動回路部側を覆うように配置したバックカバーと、
前記表示ユニットの前記表示パネルに前記情報を表示する表示面側に配置され、前記表示パネルの外形寸法より大きい前面パネルとを備え、
前記前面パネルは、四隅のコーナー部にアールを形成した形状であり、
前記前面パネルの外周端面を含めて前記表示ユニットの四辺の外周端面全体を覆うように屈曲性を有する長尺の装飾部材を巻き付けるように配置し、
前記装飾部材は、前記前面パネルの外周端面に密着するように、前記表示ユニットの外周端面に接着する接着層を備えた情報表示装置。
【請求項２】
前記装飾部材は、前記前面パネルの面に対して垂直方向の断面形状において、前記接着層を設けた前記表示パネル側の寸法が最も大きくなるように構成した請求項１記載の情報表示装置。
【請求項３】
前記装飾部材の前記接着層は、発泡性の樹脂材料で形成し、前記装飾部材が前記前面パネルの外周端面に密着するように、前記表示ユニットの前記外周端面に前記接着層を圧接して接着した請求項１記載の情報表示装置。
【請求項４】
前記装飾部材は、前記樹脂材料に金属粉を配合して成形した請求項３記載の情報表示装置。
【請求項５】
前記装飾部材は、前記樹脂材料の表面に金属層を形成したものである請求項３記載の情報表示装置。
【請求項６】
前記装飾部材は、ガラス転移点以上の温度帯域で形状自由度を有し、常温で硬化する樹脂材料により構成した請求項１記載の情報表示装置。
【請求項７】
前記前面パネルは、接触式のタッチパネル機能を有する請求項１記載の情報表示装置。
【手続補正３】
【補正対象書類名】図面
【補正対象項目名】全図
【補正方法】変更
【補正の内容】
【図１】
2014010139.tif 000008
【図２】
2014010139.tif 000009
【図３】
2014010139.tif 000010
【図４】
2014010139.tif 000011
【図５】
2014010139.tif 000012
【国際調査報告】
2014010139.tif 000013
2014010139.tif 000014
2014010139.tif 000015
2014010139.tif 000016